(57)【特許請求の範囲】
【請求項１】
車両の取付面に固定する台座部に、電子機器を所望の姿勢で固定する支持構造であって、
前記台座部は、車両の取付面に固定する基板部と、その基板部の上面に設けた上方に膨らむ半球面部を有し
前記電子機器を構成するケース本体の底面に、前記半球面部の外形状に符合する内形状を持つ球面受け部を設け、
前記球面受け部は、前記ケース本体の内部空間に入り込むように形成し、
前記半球面部の上に前記球面受け部を被せた状態で、その半球面部の下面側に、留め具を装着し、その留め具と前記球面受け部間で前記半球面部を所望の力で挟み込んで固定することを特徴とする電子機器を車室内に固定するための支持構造。
【請求項２】
前記半球面部の頂点部分には開口部を設け、
前記留め具は、前記半球面部の内周面に符合する外周面を有する基部と、その基部の上面に上方に突出する軸部とを備え、その軸部を前記開口部を貫通して前記球面受け部に設けたネジ部に対向させ、そのネジ部に締結する止めネジにて連結するように構成したことを特徴とする請求項１に記載の電子機器を車室内に固定するための支持構造。
【請求項３】
前記基板部の下面には、前記取付面に対して着脱自在に固定するための面ファスナーを備え、
その面ファスナーには孔部を設け、その孔部を介して前記止めネジのネジ頭が露出するように構成し、
前記取付面に貼り付ける面ファスナーにも孔部を設けることを特徴とする請求項２に記載の電子機器を車室内に固定するための支持構造。
【請求項４】
前記電子機器は、電子機器本体とその電子機器本体を着脱自在に装着する保持部を有し、
前記保持部は、前記電子機器の機能を実現するための電子回路を実装し、前記ケース本体を構成したことを特徴とする請求項１から３のいずれかに記載の電子機器を車室内に固定するための支持構造。
【請求項５】
前記電子機器本体は、前記保持部に装着した場合と、前記保持部から取り外して携帯した場合のいずれも動作するように構成し、
前記保持部に装着した場合に動作し、前記携帯した場合に動作しない機能のために用いる電子回路を前記ケース本体に実装することを特徴とする請求項４に記載の電子機器を車室内に固定するための支持構造。
【請求項６】
前記ケース本体は断面略Ｌ字型に構成し、
そのケース本体の起立した空間部に電波受信機を備えたことを特徴とする請求項１から５のいずれかに記載の電子機器を車室内に固定するための支持構造。
【請求項７】
請求項１から６のいずれかに記載の支持構造を備えた電子機器。
【発明の詳細な説明】
【技術分野】
【０００１】
本発明は、電子機器を車室内に固定するための支持構造及びそれを用いた電子機器に関するものである。
【背景技術】
【０００２】
車両に装備する車載機器にあっては、工場出荷時等に予めダッシュパネルの該当部位に組み付けしておくものもあるが、オプション装備のためのアフターマーケット商品の場合はダッシュパネルに組み付け部位を確保できないことがほとんどである。そのため、そのような車載機器の多くは、運転者が操作する都合からダッシュボード上に固定する配置を採ることが多い。例えばナビゲーション装置などの表示パネルを有する車載機器は、運転者の操作性はもちろん、前方の視認性も良好に得るため、ダッシュボードの上面で運転の妨げにならない位置を選ぶことになる。さらに、たとえば表示装置を備えた車載機器では、運転者が表示画面を見やすくなるように向きを調整したいという要請がある。そのため、車載機器の姿勢を変更可能な車載機器用支持具を介して当該車載機器をダッシュボード上等に設置することがある。
【０００３】
この種の車載機器用支持具としては、たとえば特許文献１に開示された技術がある。この特許文献１に開示された発明は、ダッシュボードに取り付ける台座［２１］と、その台座［２１］の上面に回転可能に取り付けられ、車載機器を取り付けるための取付部材［２２］と、その台座［２１］と取付部材［２２］を固定する操作ネジ［２３］及び止めネジ［２４］と、を備え、台座［２１］は、平板状の基板部［２１ａ］の上面に設けた半球面部［２１ｂ］の頂点部分に開口部［２１ｃ］を設ける。取付部材は、帯板［２２ａ］の下面に半球面部の符合する内形状を持つ球面受け部［２２ｂ］の頂点部分に貫通孔［２２ｆ］を設ける。操作ネジは、操作ハンドル部［２３ａ］の下面に雄ネジ部［２３ｂ］を設ける。止めネジは、半球面部の内周面に符合する基部［２４ａ］の上面に設けた軸部［２４ｂ］に雄ネジ部と符合する雌ネジ部［２４ｃ］を設ける。係る構成を取ることで、任意の姿勢で車載機器を固定でき、簡単な構成で小型化を図ることができるという効果を奏する。なお、上記の括弧中の符号は、特許文献１において用いられた符号である。
【先行技術文献】
【特許文献】
【０００４】
【特許文献１】特開２００９−１６６７５６号公報
【発明の開示】
【発明が解決しようとする課題】
【０００５】
しかしながら、特許文献１のように、台座側に取り付けネジ部分を配置すると、以下に示す問題を生じる。すなわち、台座と車載機器を取り付けるための取付部材との間に、それらを固定するための操作ネジ及び止めネジを配置しているため、少なくとも、操作ネジの分だけ台座と取付部材との間に空間が空き、車載機器の設置位置が高くなる。例えば、特許文献１に開示された車載機器のように比較的扁平なものは係る構成を採ってもさほど影響はないが、たとえばＰＮＤ（Personal Navigation Device）と称される簡易タイプのポータブル型カーナビゲーション装置や、ポータブルテレビ，ＤＶＤプレーヤーその他のポータブルデバイス等の機器、周囲の目標物や交通事故多発地帯など運転に有益な情報を提供する報知装置など、比較的大きな表示画面を備えた車載機器の場合、その設置位置が高くなると、通常の運転を行う際の前方視界の確保で邪魔になるおそれがある。特に、最近、この種の車載機器においても表示画面が大型化してきているので、係る問題は今後顕著に生じるおそれがある。そこで、各種の電子機器をダッシュボード上などに取り付ける際に、その設置高さを低く抑えたいという課題がある。
【課題を解決するための手段】
【０００６】
上述した課題を解決するために、本発明に係る車載機器用の固定具は、（１）車両の取付面に固定する基板部と、その基板部の上面に設けた上方に膨らむ半球面部とを備えるとともに、その半球面部の頂点部分に開口部を有する台座部と、前記半球面部の外形状に符合する内形状を持つ球面受け部を底面に備えると共に、その球面受け部の頂点部分にネジ部を有し、前記台座部の上面に移動可能に取り付けられるケース本体と、を備える。そして、前記ケース本体は、電子機器自体あるいは電子機器を取り付けるための保持部であり、前記半球面部の上に前記球面受け部を被せた状態で、その半球面部の下面側に、前記半球面部の内周面に符合する外周面を有する基部と、その基部の上面に上方に突出する軸部とを備えた留め具を装着するとともに、その軸部を前記開口部を貫通して前記球面受け部に設けたネジ部に対向させ、そのネジ部に締結する止めネジにて連結することで、その留め具と球面受け部間で半球面部を所望の力で挟み込んで固定するようにした。
【０００７】
ケース本体は、実施形態ではクレードル本体１１に対応するが、電子機器自体でもよい。半球面部と球面受け部とからなるボールジョイントのような取り付け部分（止めネジとネジ部の締結部分）をケース本体側の内部に配置するとともに、留め具・止めネジを台座部の下方から装着し、止めネジを締めたり緩めたりできるので、ケース本体の底面と台座部の基板部との間の間隔を狭くすることができ、ケース本体の底面位置を低くすることができる。その結果、ケース本体或いはそれに取り付ける電子機器の設置位置を低くでき、前方の視認性が向上する。
【０００８】
（２）前記基板部の下面には、前記取付面に対して着脱自在に固定するための固定シートを備え、その固定シートには孔部を設け、その孔部を介して前記止めネジのネジ頭が露出するようにするとよい。このようにすると、ケース本体（電子機器）をダッシュボード等の車両の取付面に取り付けた後でも、そこから取り外すと、孔部を介してネジ頭が露出するので、簡単に止めネジを緩め、ケース本体と台座部との相対位置関係を移動させ、所望の位置にて止めネジを締めることで台座部ひいては車両の取付面に対するケース本体の姿勢を容易に変更できる。固定シートは、例えば面ファスナーとすると良い。
【０００９】
（３）前記ケース本体は、前記球面受け部が形成された底ケースと、その底ケースの上方を覆うケース部（実施形態では、前ケース２０，後ケース２１）とを備え、前記底ケースの上面側に回路基板を配置すると共に、その回路基板は前記球面受け部を避ける形状とするとよい。ケース本体の底面側の内部空間は、球面受け部が入り込んでデットスペースとなるが、その球面受け部と干渉しないように底面側に回路基板を配置できるので、空間の有効利用できる。
【００１０】
（４）前記回路基板には、電源コネクタを設け、その電源コネクタは、前記ケース本体の側面に露出するようにするとよい。電源コネクタは、車両のシガーソケット等の車両側のバッテリーに接続する接続ケーブルを装着することができる。これにより、車両側から電力供給を受けることができ、回路基板その他のケース本体に設けた電子回路・機器の電源供給を受けることができる。
【００１１】
（５）前記ケース部は、断面略Ｌ字型に構成され、そのケース部の起立した空間部内にメイン基板が実装され、そのメイン基板と前記回路基板とがフレキシブルケーブルで接続されるようにするとよい。ケース本体内の空間内に基板を効率よく配置することができる。
【００１２】
（６）前記空間部に、前記メイン基板と平行にマイクロ波受信機を備えるとよい。マイクロ波を受信する機能をケース本体内に効率的に組み込むことができる。ケース本体が、車載機器（電子機器）の一部を構成することができる。特に、電子機器が、ケース本体に対して着脱可能にし、ケース本体から取り外して携帯することができるようなものの場合、マイクロ波を検出し、目標物や交通事故多発地帯などの運転時に有益な情報を提供する車載機器の一部を構成することができる。そして、係る情報は、運転時に必要であるが、ケース本体から取り外し、車外に持ち出して携帯しているときには不要な機能である。そこで、電子機器を構成する機能の内、車載時のみに有効の機能を実現する部品をケース本体内に組み込むことで、携帯時の電子機器の小型・軽量化を図ることができる。マイクロ波受信機で受信した信号は、ケース本体に装着した電子機器内のマイコン等の制御部を利用することで、ケース本体も車載時の電子機器の一部となり、ケース本体を含めた電子機器として見た場合の部品の有効配置ができ、全体での小型化も図れる。
【００１３】
（７）本発明の電子機器は、（１）から（６）のいずれかに記載の支持構造を備えて構成することである。
【発明の効果】
【００１４】
各種の電子機器をダッシュボード上などに取り付ける際に、その設置高さを低く抑えることができる。
【図面の簡単な説明】
【００１５】
【図１】本発明の好適な一実施形態を示す全体斜視図である。
【図２】その分解斜視図である。
【図３】下方から見た斜視図である。
【図４】側面図である。
【図５】底面図である。
【図６】前ケース並びに後ケースと、クレードル本体の一部の部品を取り除いた状態を示す斜視図である。
【図７】前ケース並びに後ケースと、クレードル本体の一部の部品を取り除いた状態を示す側面図である。
【発明を実施するための形態】
【００１６】
図１は、本発明に係る車載機器用固定具の好適な一実施形態を示す斜視図であり、図２はその分解斜視図であり、図３は底面側から見た斜視図（ダッシュボードに取り付ける面ファスナーを取り除いた図）である。ここで保持対象となる電子機器は、例えば持ち運び可能な携帯型のカーナビゲーション装置（ＰＮＤ）や、車両速度測定装置から出射されるマイクロ波や、カーロケーターシステム，スピード取り締まり連絡無線などに割り当てられる電波などの特定周波数帯域の電波を受信して目標電波の受信時に音や光等の表示による報知を行う電波信号報知装置や、ＧＰＳ受信機等にて検出した現在位置情報に基づいてその周囲に存在する予め記録した検出対象の目標物に関する情報・事故多発地帯や交通取締り情報などのより注意を持って安全に運転するための交通安全情報・ランドマークや運転に有益な各種の情報を報知するドライブ情報報知装置などがある。そして、それら各種装置は、それぞれの機能を実現する単独の装置としても構成されるし、複数の機能が組み込まれた装置としても構成される。さらに、本実施形態では、固定具から取り外して携帯できることから、車外での携帯時に有用な機能を備えることもできる。そして本実施形態の支持構造（支持具）は、この種の電子機器を着脱可能に保持し、車両のダッシュボード上に固定するクレードル１０である。
【００１７】
このクレードル１０は、図示省略する略矩形状のケースからなる電子機器機本体を保持するクレードル本体１１と、車室内の所定の位置（ダッシュボード等）において、クレードル本体１１を任意の姿勢で指示する台座部１２と、を備えている。本実施形態では、クレードル本体１１を台座部１２に対して所定の角度範囲内で回転させ、任意の姿勢を採ることができるようにしており、具体的な構成は以下の通りである。
【００１８】
台座部１２は、偏平な平面略矩形状の基板部１２ａの上面中央に、上方に膨らむ半球面部１２ｂを設けた構造とする。その半球面部１２ｂの中央には、比較的大きな貫通孔である開口部１２ｃが形成される。また、基板部１２ａの下面には、平面正方形状の凹部１２ｄが形成される。また、基板部１２ａは、凹部１２ｄの寸法形状とほぼ等しい略矩形状で、一辺のみ若干外側に膨らんだ曲率半径の大きい円弧状に形成している。この曲率半径は、凹部１２ｄの中心から頂点までの距離よりも長い値に設定している。
【００１９】
凹部１２ｄには、面ファスナー１４等の着脱可能な固定シートを取り付ける。つまり、雄型或いは雌型の面ファスナー１４を凹部１２ｄに接着し、それと対になる雌型或いは雄型の面ファスナーをダッシュボード等の所望の位置に貼付ける。これにより、台座部１２を面ファスナーを貼付けたダッシュボード上に対して着脱自在に固定できる。また、本実施形態では、接着部材を効率よく使用するため、接着部材の形状は、矩形状（実施形態では正方形だが長方形でも良い）としている。つまり、通常、接着部材は、より大きな寸法形状のシートから所望の寸法に切り出して形成されるため、接着部材の形状を円形にした場合には、そのシートから無駄に捨てる部分が発生してしまう。そこで、本実施形態では、接着部材の形状を矩形状にした。なお、台座部１２をダッシュボード上に固定するための固定シートは、面ファスナーに限ることはなく、ゲル状の粘着シート等でも良い。
【００２０】
一方、クレードル本体１１は、起立した扁平な矩形状の本体部１１ａの下端に、前方側に突出された受け部１１ｂを配置した構成となり、図４等に示すようにクレードル本体１１ は、略Ｌ字型となる。受け部１１ｂの上面中央には、コネクタ１５が露出状態で設けられている。クレードル本体１１のケースは、断面略Ｌ字型の前ケース２０と、矩形状の後ケースと、それら前ケース２０，後ケース２１の下方を閉塞する底ケース２２とを備え、それら３つのケースを突き合わせることで構成される。
【００２１】
そして、この底ケース２２に、上記の半球面部１２ｂの外形状に略符合する内形状を持つ球面受け部２２ａを形成する。これにより、底ケース２２（球面受け部２２ａ）を台座部１２（半球面部１２ｂ）の上にかぶせるように配置すると半球面部１２ｂの外周面と、球面受け部２２ａの内周面とが符合し、両者はその接触する球面に沿って相対的に任意の方向に移動することができる。よって、台座部１２を水平に置いた状態で固定したと仮定すると、底ケース２２ひいてはクレードル本体１１は、半球面部１２ｂの頂点を中心に水平面内で３６０度回転させることができるし、任意の方向に傾けることができ、それら回転と傾きとを適宜組み合わせることで、そのクレードル本体１１に取り付けた車載機器を所望の姿勢にすることができる。つまり、車載機器を水平にしたり、上下・左右方向に所定角度傾けたりすることができる。その結果、例えばダッシュボードが左右方向や前後方向に水平でなく傾いている場合であっても、車載機器の表示画面等の報知機能をドライバーの方に向ける（正対させる）ことが容易にできる。これらのことから、特に表示装置を有する車載機器用の支持具として好適に適用できる。
【００２２】
そして、底ケース２２（クレードル本体１１）と台座部１２間の固定は、半球面部１２ｂの上に球面受け部２２ａを被せた状態で、半球面部１２ｂの下面より留め具１７を装着し、留め具１７と球面受け部２２ａとを止めネジ１６にて連結することで、その留め具１７と球面受け部２２ａ間で半球面部１２ｂを所望の力で挟み込むことで行う。係る処理を行うための具体的な構造は、以下の通りである。
【００２３】
まず底ケース２２に設けた球面受け部２２ａは、その上面の頂点部に、上方に突出する円筒状の首部２２ｂを一体的に形成している。そして、首部２２ｂの内周面の寸法形状は、上方部位は細径でその内周面には雌ネジ部が形成され、下方部位は太径（上方部位に対して）で、その内周面に平坦面な回り止め部が形成されている。
【００２４】
留め具１７は、台座部１２の半球面部１２ｂの内周面に符合する外周面を有する基部１７ａと、その基部１７ａの上面の頂点に上方に突出するように設けられる軸部１７ｂと、を有する。軸部１７ｂには、その外周面の上方所定位置に、平面からなる回り止め部１７ｃが、平行に２カ所設けられている。さらに、留め具１７には、その中心線に上下に貫通する貫通孔が設けられている。そして、この軸部１７ｂは、球面受け部２２ａの首部２２ｂの貫通孔内に挿入可能となり、挿入した状態では、軸部１７ｂに設けた回り止め部１７ｃと、首部２２ｂの貫通孔の下方部位の内周面に設けた回り止め部が接触し、底ケース２２（首部２２ｂ）と留め具１７との相対的な回転移動が抑止される。ただし、軸方向（上下方向）には移動可能となる。さらに、軸部１７ｂの外形寸法に比べて、台座部２１の開口部２１ｃの内径寸法を十分に大きく設定しているため、軸部１７ｂは開口部２１ｃ内を移動可能となる。つまり、留め具１７の基部１７ａを台座部１２の半球面部１２ｂの内周面に接触させた状態で、その内周面に沿って留め具１７を移動させることができる。
【００２５】
また、留め具１７に設けた貫通孔に対し、その下方から止めネジ１６を挿入する。すると、その止めネジ１６の先端の雄ネジ部１６ａは、留め具１７の軸１７ｂの上端からさらに上方に突出し、底ケース２２に設けた首部２２ｂの上方部位の内周面に形成した雌ネジと締結する。そして、強く締結することで、止めネジ１６ひいては留め具１７を上昇移動させ、留め具１７の基部１７ａの上面と、底ケース２２の球面受け部２２ａの内周面との距離を狭めることができる。これにより、両者の間に配置された台座部１２の半球面部１２ｂは、留め具１７と球面受け部２２ａとにより所望の圧力で挟み込まれ、台座部１２と底ケース２２との相対的な移動が抑止されて固定される。一方、止めネジ１６を緩めると、係る半球面部１２ｂに対する締め付け力が弱まり、半球面部１２ｂの上面に沿って球面受け部２２ａ間が移動可能となる。
【００２６】
また、止めネジ１６は、外部に露出しないため、金属の切削部品により構成できる。特許文献１の構造では、樹脂とネジの複合部品にする必要があったが、それに比べると、構成が簡略化でき、コストの削減が図れる。
【００２７】
そして、本実施形態では、面ファスナー１４の中央部位に孔部１４ａを形成している。  穴のサイズは、止めネジ１６の調整（正逆回転）が可能なサイズの大きさとする。このように孔部１４ａを形成しておくことで、図５に示すように、面ファスナー１４を台座部１２の底面の凹部１２ｄ内に貼り付けたとしても、その孔部１４ａから止めネジ１６が露出する。従って、たとえば、係る面ファスナー１４を、すでにダッシュボード上に貼り付けた別の面ファスナーと接合し、所定の姿勢でクレードル本体１１を、ダッシュボード上に固定していたとしても、面ファスナー１４を、ダッシュボード上の面ファスナーから剥がすことで、止めネジ１６（ネジ頭）が露出するので、ドライバーその他の工具等により、止めネジを緩めて台座部１２と底ケース２２との相対的な移動を可能にして所望の姿勢にし、その後止めネジを締めることで係る相対的な移動を抑止し、所望の姿勢に保持できる。よって、取り付け後であっても簡単に姿勢の変更・調整ができる。さらに、適切な締め強度（半固定状態）とすれば、一対の面ファスナーを引きはがして止めネジを露出させることなく、クレードル本体１１を上下左右に動かして調整できるとともに、その位置で固定させることもできる。
【００２８】
なお、ダッシュボード上に貼り付ける面ファスナーは、孔部など設けることなく矩形状のシートのままとしても良いし、面ファスナー１４と同様に孔部を設けても良い。ただし、ダッシュボードに装着する面ファスナーにも孔部を設けておくと、それらの孔部が目印となるので面ファスナー同士の位置あわせがしやすい。よって、貼り付けた場合の相互の位置がずれて面ファスナーの周辺部分が露出してほこりが付着するなどの問題を抑えることができる。
【００２９】
係る構成にすると、底ケース２２に設けた球面受け部２２ａは、クレードル本体１１の内部空間内に存在することになり、しかも、球面受け部２２ａの上端に設けた首部２２ｂに雌ネジ部を設け、止めネジ１６の雄ネジ部１６ａと締結して固定するように、係るネジ部の締結は、台座部１２（半球面部１２ｂ）の下面側より行うようにしたので、図４等から明らかなとおり、特許文献１等の従来のものに比べて、クレードル本体１１の下面と、台座部１２の上面との距離を狭めることができ、クレードル本体１１ひいてはこのクレードル本体１１に取り付ける電子機器の本体（前面に表示部を有する）の設置位置を低い位置にすることができる。よって、ユーザにとって見やすく、かつ、運転時に前方視界の邪魔にならない。さらに、特許文献１のようにネジを締めたり緩めたりするための調整ネジが外側に露出しないので、見た目がすっきりする。クレードル本体側に球面部の受けをつけたため、特許文献１のものよりも部品を１個削減することができる。
【００３０】
特許文献１のように台座部側に取り付けネジ部分を配置すると、調整ネジを避けるためクレードル本体を調整ネジの上の位置に配置するか、クレードル本体の背面側を切り欠くなどする必要がある。さらに電子機器の本体の下側（正面から見ると当該本体で隠れない部分）に取り付けネジ部分を配置すると、この部分の厚さが厚くなってしまい電子機器本体の表示部の位置も高い位置になってしまうが、本実施形態の構造にすることで、係る問題は生じない。
【００３１】
すなわち、半球面部１２ｂと球面受け部２２ａとからなるボールジョイントの取り付けネジ部分（首部２２ｂの雌ネジ部と、止めネジを１６の雄ネジ部１６ａの締結部分）をクレードル本体１１側の内部にし、クレードル本体１１に取り付ける電子機器本体の後ろ側（正面から見ると電子機器本体で隠れる部分）に当該取り付けネジ部分を配置したので、正面から見た状態でのクレードルの上下方向の厚さ（電子機器本体の下部に出るクレードルの幅ないし、クレードル全体の高さ）を薄くすることができる。
【００３２】
また、本実施形態のクレードルは、電子機器を保持する機能のみならず、電子機器の機能を実現するための電子回路・部品も実装している。すなわち、ナビゲーション装置などの携帯機能な電子機器は、クレードル１０に取り付けて車両に搭載した場合には通常のカーナビゲーションとして機能し、クレードル１０から取り外して町中を持ち歩いた場合にはハンディナビゲーションとして機能する。一方、車両速度測定装置から出射されるマイクロ波を検出したり、カーロケーターシステム等で用いられる電波を検出したりして報知する機能や、ドライブカメラのように交通事故発生前後の状況を撮影して記録する機能は、クレードル１０から取り外して携帯している際には不要な機能である。そこで、本実施形態では、係る不要な機能のためのみに用いる電子回路・部品をクレードル本体１１内に実装することで、携帯する電子機器の小型・軽量化を図ることができるようにしている。
【００３３】
具体的には、本実施形態では、マイクロ波を受信するマイクロ波受信機に関連する装置をクレードル本体１１に実装した。また、クレードル本体１１内に電源回路を備え、このクレードル本体１１に装着する電子機器に対する充電を行えるようにしている。そして、コネクタ１５を備えた接続基板２４は、底ケース２２内に配置している。
【００３４】
このとき、接続基板２４には、その一辺に中心に向かって切り欠いた凹状切り欠き部２４ａを設けている。この凹状切り欠き部２４ａは、球面受け部１２ｂを避ける形状としている。これにより、接続基板２４は、底ケース２２に沿うように平行に配置しつつ、球面受け部２２ａに干渉しないのでその球面受け部２２ａの上面よりも低い位置で配置できるので、底ケース２２の厚さを薄くしつつ接続基板２４の面積も確保することができ、デッドスペースの有効利用ができる。
【００３５】
この接続基板２４は、電子機器本体と接続するためのコネクタ１５と、電源コネクタ２６を備えている。電源コネクタ２６は、一端が車両のシガーソケットに接続される電源ケーブルの他端を接続するコネクタである。電源コネクタ２６経由でシガーソケットから供給された電力は、接続基板２４内の回路・コネクタ１５を介して電子機器本体に供給される。そして、電子機器本体内の回路は、クレードル本体１１に取り付けられて車載機器として動作しているときは、係る電力供給を受けて動作するとともに、内蔵する充電池に充電する。そして、クレードル本体１１から取り外した場合には、係る充電池を電源として動作する。
【００３６】
また、メイン基板２５並びにマイクロ波受信回路基板２７は、後ケース２１に沿うように起立配置し、これら両基板２５，２７同士は平行で、接続基板２４とは９０度の角度に配置している。両基板２５，２７あるいはいずれか一方の基板と、接続基板２４とはフレキシブルケーブル２８で接続される。本実施形態では、フレキシブルケーブル２８は、メイン基板２５と接続されている。なお、図６，図７は、メイン基板２５の図示を省略して描画しているため、コネクタ２８の先端が宙に浮いたように見えているが、このコネクタ２８の先端が、メイン基板２５（裏面側）に設けられたコネクタに接続される。フレキシブルケーブル２８が一方の基板（本実施形態では、「メイン基板２５」）と接続された場合、両基板２５，２７同士は接続端子ピン・接続コネクタ等にて直接接続される。両基板２５，２７は、平行で近接は位置しているので、係る簡単な接続構造で連結できる。そして、マイクロ波受信回路基板２７には、マイクロ波受信機（アンテナ）ユニット２９を設ける。
【００３７】
このマイクロ波受信機ユニット２９／マイクロ波受信回路基板２７でマイクロ波を受信すると、その受信信号が、接続基板２４を経由してクレードル本体１１に接続された電子機器本体に送られ、そこにおいて所定の処理がなされ、マイクロ波受信に伴う警報などが行われる。マイクロ波受信機ユニット２９としたが、その他の無線・電波を受信する機器を実装しても良い。
【００３８】
このように本実施形態では、支持具となるクレードルは、車載機器（電子機器）の一部を構成することにしているが、本発明はこれに限ることはなく、単純に支持具としての機能のみを備えたものでも良い。また、これとは逆に、電子機器自体に本発明の支持具の構造を組み込んでも良い。つまり、電子機器の底面に、内側に窪む球面受け部２２ａ（首部２２ｂ）を設けてもよい。
【００３９】
また、上述した実施形態のように孔部１４ａを備えた面ファスナー１４等の固定部材を用いて機器（支持具）を固定する場合、機器の姿勢を調整する機構として、上述の実施形態にとらわれることはなく、各種の調整部を備えたものに適用できる。その場合の面ファスナー等の固定部材は、機器を支持する支持具の底面に設けられ、車室内の取付面に対して着脱自在に前記支持具を固定するための固定部材であり、前記支持具の支持状態を調整する調整部を露出させる孔部を設けた構造となる。この場合に、調整部の一例が、上述した実施形態のものとなるが、その他の構造でももちろん良い。また、調整部の露出する部分の構造は、ネジ頭、つまみなどとすることができる。また、調整部の機能としては、支持具の可動部の可動状態を調整するものとすることができる。また、電子機器が表示部を有し、調整部は表示部の画面の方向を調整するためのものとすることができる。さらに、固定部材は、孔部が設けられていれば、面ファスナーに限ることはなく、たとえば、上述した実施形態・変形例でも記載した粘着シートなどの他、各種の部材を用いることができる。
【符号の説明】
【００４０】
１０  クレードル
１１  クレードル本体
１２  台座部
１２ａ  基板部
１２ｂ  半球面部
１２ｃ  開口部
１２ｄ  凹部
１４  面ファスナー
１４ａ  孔部
２０  前ケース
２１  前ケース
２２  底ケース
２２ａ  半球面部
２２ｂ  首部
２４  接続基板
２５  メイン基板
２６  電源コネクタ
２７  マイクロ波受信回路基板
２８  フレキシブルケーブル
２９  マイクロ波受信機ユニット
【図１】
0005625159.tif 000002
【図２】
0005625159.tif 000003
【図３】
0005625159.tif 000004
【図４】
0005625159.tif 000005
【図５】
0005625159.tif 000006
【図６】
0005625159.tif 000007
【図７】
0005625159.tif 000008